(57)【要約】【課題】シーツ等の比較的に広い干物も２つ折りにて干せることは勿論のこと、広げた状態でも干すことができると共に、アーム部のスライドアームを任意位置に伸ばしても、移動体を前後に移動させるだけで確実に重心位置に取付部を設定できる物干ハンガーを提供する。【解決手段】シーツやタオルケット等の比較的広い面を有する干物を干すべく、水平方向にスライド可能なスライドアームの一部を開閉できる開閉部を設けてなるアーム部と、アーム部の後部に固定し、係止部を設けてなる支持部と、支持部の係止部に前後移動可能に取り付けてなる移動体と、移動体に設けた物干竿に着脱自在に取り付ける取付部とからなる。【選択図】　図１
2004057761.tif 000002
【特許請求の範囲】
【請求項１】
シーツやタオルケット等の比較的広い面を有する干物を干すべく、水平方向にスライド可能なスライドアームの一部を開閉できる開閉部を設けてなるアーム部と、アーム部の後部に固定し、係止部を設けてなる支持部と、支持部の係止部に前後移動可能に取り付けてなる移動体と、移動体に設けた物干竿に着脱自在に取り付ける取付部とからなることを特徴とする物干ハンガー。
【請求項２】
支持部の係止部は透孔で、上部を波形に形成してなることを特徴とする請求項１記載の物干ハンガー。
【請求項３】
移動体の下部に、透孔の係止部の波形に係合する同形の係合部を設けてなることを特徴とする請求項１又は２記載の物干ハンガー。
【請求項４】
移動体に、係止部の波形に係合部を着脱自在に係合すべく、レバー部を設けてなることを特徴とする請求項３記載の物干ハンガー。
【請求項５】
取付部が、２つの係止片にて構成されてなることを特徴とする請求項１、２、３又は４記載の物干ハンガー。
【請求項６】
支持部が、アーム部の後部に固定した後支持片と斜片と係止部を設けた前支持片とから構成し、シーツ等を２つ折りせず支持部を跨って干す場合、後支持片にて押え、シーツ等の摩れを防ぐことができることを特徴とする請求項１、２、３、４又は５記載の物干ハンガー。
【発明の詳細な説明】
【０００１】
【発明の属する技術分野】
本発明は、シーツやタオルケット等の比較的広い面を有する干物を干すための物干ハンガーに関するものである。
【０００２】
【従来の技術】
従来の技術としては、特開平８−２５７２９１号公報記載のような、物干し用ハンガーを垂下させるための係止部材と、この係止部材の下方に連結される支持部材と、物干し用ハンガーに装着される被掛止物の着脱経路としての切欠部を有し、前記支持部材に保持される枠状体とを備えて構成したことを特徴とする物干し用ハンガーが開示されている。
【０００３】
しかし、上記のような形態では、その構造上、シーツ等を２つ折りして枠状体に掛止させて干す方法しかできない。
つまり、天気の良い日は問題ないが、乾きにくい日（雨や曇りの日）は２つ折りにしたシーツの距離は最大連結腕の直径の長さであり、空間が少なく、乾きにくいのが現状である。
また、保持腕の両端に進退する一対の滑動腕を設けているが両滑動腕の進退量が同一でない場合バランスがくずれ、シーツが斜状に干され、最悪の場合シーツが摩れてしまう。
【０００４】
【発明が解決しようとする課題】
本発明は、上記問題点に鑑みなされたもので、その目的は、シーツ等の比較的に広い干物も２つ折りにて干せることは勿論のこと、広げた状態でも干すことができると共に、アーム部のスライドアームを任意位置に伸ばしても、移動体を前後に移動させるだけで確実に重心位置に取付部を設定できる物干ハンガーを提供するものである。
【０００５】
【課題を解決するための手段】
課題を解決するための手段として、シーツやタオルケット等の比較的広い面を有する干物を干すべく、水平方向にスライド可能なスライドアームの一部を開閉できる開閉部を設けてなるアーム部と、アーム部の後部に固定し、係止部を設けてなる支持部と、支持部の係止部に前後移動可能に取り付けてなる移動体と、移動体に設けた物干竿に着脱自在に取り付ける取付部とからなること。また、支持部の係止部は透孔で、上部を波形に形成してなること。移動体の下部に、透孔の係止部の波形に係合する同形の係合部を設けてなること。さらに、移動体に、係止部の波形に係合部を着脱自在に係合すべく、レバー部を設けてなること。取付部が、２つの係止片にて構成されてなること。その上、支持部が、アーム部の後部に固定した後支持片と斜片と係止部を設けた前支持片とから構成し、シーツ等を２つ折りせず支持部を跨って干す場合、後支持片にて押え、シーツ等の摩れを防ぐことができることを特徴とする。
【０００６】
【発明の実施の形態】
１は、物干ハンガーである。
２は、シーツやタオルケット等の比較的広い面を有する干物を干すべく、平面Ｕ字形に形成し一部を開閉できる段差状の開閉部２ａ１を設けてなる水平方向にスライド可能なスライドアーム２ａと、スライドアーム２ａを水平方向に支持すべく端部を連結片２ｂ１にて連結し、２本のアーム２ｂ２を突出してなる支持アーム２ｂとからなるアーム部である。
３は、上記アーム部２の後部の連結片２ｂ１の中央に固定してなる支持部で、後支持片３ａと、斜片３ｂと、上部を波形３ｃ１ａに形成した透孔による係止部３ｃ１を設けた前支持片３ｃより構成される。
なお、後支持片３ａの下面は、上記アーム２ｂ２の下面よりやや突出するのが望ましい。
４は、上記支持部３の係止部３ｃ１に前後移動可能に取り付けてなる移動体で、下部に透孔による係止部３ｃ１の波形３ｃ１ａに係合する同形の係合部４ａを設けると共に、係合部４ａを波形３ｃ１ａに着脱自在に係合すべく、逆ダルマ形のカム４ｂ１とレバー４ｂ２からなるレバー部４ｂを設けてなるものである。
５は、上記移動体４の上部に設けた取付部で、物干竿に着脱自在に取り付けるべく２本のフック状の係止片５ａ・５ａにて構成される。
【０００７】
つぎに使用例を説明する。
本発明の物干ハンガー１は、まず取付部５の係止片５ａ・５ａを物干竿Ｍに係止させる。
つぎに、スライドアーム２ａを支持アーム２ｂより所要の長さ分程、引き出す。
つづいて、開閉部２ａ１を開き、予め２つ折りにしたシーツＳをスライドアーム２ａに差し入れ、すべて入った時点で開閉部２ａ１を閉じ、スライドアーム２ａ及び支持アーム２ｂにシーツＳを広げる。
この状態で、バランスが悪いようであれば移動体４を前後に移動させればよく、その手順として、まずレバー４ｂ２を上方に回転させることによりカム４ｂ１が回転し、前支持片３ｃの上面よりカム４ｂ１が離れ、したがって係止部３ｃ１の波形３ｃ１ａより係合部４ａが離れることにより移動体４が作動するようになり、所要位置にて再度レバー４ｂ２を下方に回転させることによりカム４ｂ１が回転し、前支持片３ｃに当接し、同時に係止部３ｃ１の波形３ｃ１ａに係合部４ａが係合し、固定される。
【０００８】
つづいて、他の使用例を説明する。
竿への物干ハンガー１の取り付け、及びスライドアーム２ａの使用方法は上記と同じであるが、シーツＳ１を２つに折り畳まずに一枚に広げ、スライドアーム２ａの前方より後方まで差し込む。
つまり、支持部３に跨って干すことができ、後支持片３ａにてシーツＳ１の後部を押え付けることができる。（アーム２ｂ・２ｂとで３点支持できる。）
よって、摩れることなくシーツＳ１を干すことができるが、風の強い日等は、スライドアーム２ａの先端にクリップ（図示せず）等にてシーツＳ１を挟めばよい。
【０００９】
なお、上記実施例において、各部位の材質は合成樹脂が望ましい。
また、干せるものはタオルケット等、比較的広い面積を有する干物が可能であるが、小さい面積のものも当然干せるものである。
【００１０】
【発明の効果】
１）、シーツ等の比較的広い面積の干物も２つ折りにて干せることは勿論のこと
、広げた状態でも干すことができる効果がある。
２）、アーム部のスライドアームを任意位置に伸ばしても、移動体を前後に移動させるだけで確実に重心位置に取付部を設定でき、シーツが斜状になることは
ない。
【図面の簡単な説明】
【図１】本発明の一実施例を示す物干ハンガーの正面図。
【図２】本発明の一実施例を示す物干ハンガーの平面図。
【図３】本発明の一実施例を示す物干ハンガーの側面図。
【図４】本発明の一実施例を示す物干ハンガーの移動体周囲の拡大正面図。
【図５】本発明の一実施例を示す物干ハンガーの移動体周囲の拡大側面図。
【図６】本発明の一実施例を示す物干ハンガーの使用状態正面図。
【図７】本発明の一実施例を示す物干ハンガーの別の使用状態平面図。
【符号の説明】
１−−−物干ハンガー
２−−−アーム部
２ａ−−スライドアーム
２ａ１−開閉部
２ｂ−−支持アーム
２ｂ１−連結片
２ｂ２−アーム
３−−−支持部
３ａ−−後支持片
３ｂ−−斜片
３ｃ−−前支持片
４−−−移動体
４ａ−−係合部
４ｂ−−レバー部
５−−−取付部
【図１】
2004057761.tif 000003
【図２】
2004057761.tif 000004
【図３】
2004057761.tif 000005
【図４】
2004057761.tif 000006
【図５】
2004057761.tif 000007
【図６】
2004057761.tif 000008
【図７】
2004057761.tif 000009